(57)【特許請求の範囲】
【請求項１】
遊戯台用アームレストであって、
ほぼ矩形の板で形成された水平部および前記水平部の一端において垂直方向上方に延びるように連結された垂直部を有する台座と、
腕を載せるための載置部が上端に設けられ、下端において前記垂直部に回転可能に取り付けられた本体とを備え、
前記垂直部に、前記本体の裏面に設けられた突起を案内するためのガイド面が設けられており、前記ガイド面が、遊戯者の側から見て、垂直線に対して右側に鈍角の箇所に位置する第１端と垂直線に対して左側に鋭角の箇所に位置する第２端との間に設けられた弧状の面によって形作られており、使用時には前記突起が前記第２端に当たる位置まで前記本体を回転させ、不使用時には前記突起が前記第１端に当たる位置まで前記本体を回転させるように構成されていることを特徴とするアームレスト。
【請求項２】
前記使用時に前記本体の右側縁と垂直線とのなす角度が３０°、前記不使用時に前記本体の左側縁と垂直線とのなす角度が１０５°になるように、前記第１端および前記第２端が設けられていることを特徴とする請求項１に記載のアームレスト。
【請求項３】
遊戯台に遊戯台用アームレストを取り付けるための取付具を更に備え、前記取付具が、ほぼ矩形の板で形成された水平部と、前記水平部の一端において垂直方向上方に延びるように連結された垂直部と、前記水平部の下面に設けられたポケットとを有し、前記台座の水平部を前記ポケット内にスナップ嵌めすることにより、前記台座および前記本体が遊戯台に取り付けられるように構成されていることを特徴とする請求項１又は２に記載のアームレスト。
【発明の詳細な説明】
【技術分野】
【０００１】
本発明は一般に、アームレスト（腕置き具）に関する。より詳細には、本発明は、パチンコ台などの遊戯台の下端部に設けられた前板に取り付けられる遊戯台用アームレストに関する。
【背景技術】
【０００２】
遊戯台（典型的には、パチンコ台）は、“島”と通称される遊戯台設置ユニットに並設して多数基取り付けられており、各遊戯台の前面右方下部に設けられた操作ハンドルを操作して遊戯するようになっている。したがって、長時間にわたって遊戯すると、手首や肩、腕などに疲労が蓄積することとなる。このような疲労を軽減すべく、遊戯場では、遊戯中に肘を載せることができるように肘掛け付きの椅子を設置したり、腕を置くことができるアームレストを設置するなどの工夫が凝らされている。
【発明の開示】
【発明が解決しようとする課題】
【０００３】
しかしながら、肘掛け付きの椅子は、標準的な体型の人を基準として製作されるものであるため、全ての遊戯者にとって使い勝手が良いとは言い難く、未使用時には清掃等の邪魔になるという不都合がある。また、従来のアームレストは、遊戯者に充分な快適感を与えるものとはいえず、未使用時に邪魔になるなど、遊戯者にとっても遊戯場の店員にとっても必ずしも満足すべきものであるとは言い難かった。
【０００４】
本発明は、このような状況に鑑みて開発されたものであって、遊戯者が長時間にわたって遊戯しても手首や肩、腕等に負担がかかりにくく、使用しないときには邪魔にならないように収納することができる遊戯台用アームレストを提供することを目的としている。
【課題を解決するための手段】
【０００５】
本願請求項１に記載の遊戯台用アームレストは、ほぼ矩形の板で形成された水平部および前記水平部の一端において垂直方向上方に延びるように連結された垂直部を有する台座と、腕を載せるための載置部が上端に設けられ、下端において前記垂直部に回転可能に取り付けられた本体とを備え、前記垂直部に、前記本体の裏面に設けられた突起を案内するためのガイド面が設けられており、前記ガイド面が、遊戯者の側から見て、垂直線に対して右側に鈍角の箇所に位置する第１端と垂直線に対して左側に鋭角の箇所に位置する第２端との間に設けられた弧状の面によって形作られており、使用時には前記突起が前記第２端に当たる位置まで前記本体を回転させ、不使用時には前記突起が前記第１端に当たる位置まで前記本体を回転させるように構成されていることを特徴とするものである。
【０００６】
本願請求項２に記載の遊戯台用アームレストは、前記請求項１のアームレストにおいて、前記使用時に前記本体の右側縁と垂直線とのなす角度が３０°、前記不使用時に前記本体の左側縁と垂直線とのなす角度が１０５°になるように、前記第１端および前記第２端が設けられていることを特徴とするものである。
【０００７】
本願請求項３に記載の遊戯台用アームレストは、前記請求項１又は２のアームレストにおいて、遊戯台に遊戯台用アームレストを取り付けるための取付具を更に備え、前記取付具が、ほぼ矩形の板で形成された水平部と、前記水平部の一端において垂直方向上方に延びるように連結された垂直部と、前記水平部の下面に設けられたポケットとを有し、前記台座の水平部を前記ポケット内にスナップ嵌めすることにより、前記台座および前記本体が遊戯台に取り付けられるように構成されていることを特徴とするものである。
【発明の効果】
【０００８】
本発明の遊戯台用アームレストによれば、遊戯者が長時間にわたって遊戯しても手首や肩、腕等に負担がかかりにくく、使用しないときには邪魔にならないように収納することができる。本発明のアームレストは、構造が簡単であるため、廉価に製造することができるとともに、故障が少なく、維持管理コストを抑えることができる。本発明のアームレストは、バッグ掛けとして使用することもできる。
【発明を実施するための最良の形態】
【０００９】
次に図面を参照して、本発明の好ましい実施の形態に係る遊戯台用アームレストについて詳細に説明する。図１は、本発明の好ましい実施の形態に係る遊戯台用アームレストを示した斜視図、図２は、図１の遊戯台用アームレストの分解斜視図である。図１および図２において全体として参照符号１０で示される本発明の好ましい実施の形態に係る遊戯台用アームレストは、台座１２を備えている。
【００１０】
台座１２は、ほぼ矩形の板で形成された水平部１２ａと、水平部１２ａの一端において垂直方向上方に延びるように連結された垂直部１２ｂとを有し、全体としてＬ形の形状に形作られている。垂直部１２ｂのほぼ中央には、後述するように、ピン１６を差し込むための開口１２ｂ１が設けられている。
【００１１】
垂直部１２ｂには、後述する本体１４を案内するためのガイド面１２ｂ２が設けられている。ガイド面１２ｂ２は、手前側から見て、開口１２ｂ１を通る垂直線ｖに対して右側方向に角度αの箇所に位置する第１端１２ｂ２−１と垂直線ｖに対して左側方向に角度βの箇所に位置する第２端１２ｂ２−２との間に設けられた弧状の面１２ｂ２−３によって形作られている（図３参照）。ここで「手前側」とは、遊戯者が椅子に着座している側を意味する。なお、角度αは鈍角、角度βは鋭角である。
【００１２】
遊戯台用アームレスト１０は又、遊戯者が腕を載せるための載置部が上端に設けられた本体１４を備えている。本体１４は、その下端に設けられた開口１４ｂと台座１２の垂直部１２ｂの開口１２ｂ１とを整列させて開口１４ｂ及び開口１２ｂ１にピン１６を差し込むことによって、台座１２の垂直部１２ｂに回転可能に取り付けられている。
【００１３】
本体１４の裏面には、ピン１６を中心として本体１４を回転させるとき垂直部１２ｂのガイド面１２ｂ２に当接する箇所に突起１４ｃ（図４参照）が設けられている。これにより、本体１４を回転させると、突起１４ｃがガイド面１２ｂ２の第１端１２ｂ２−１に当たる箇所からガイド面１２ｂ２の第２端１２ｂ２−２に当たる箇所まで本体１４を移動させることができる。
【００１４】
図４は、本体１４をピン１６を中心として起立位置（即ち、アームレストの使用状態）から倒れた位置（即ち、アームレストの不使用状態）まで回転させた状態を手前側から示した図である。本体１４の起立位置では、突起１４ｃがガイド面１２ｂ２の第２端１２ｂ２−２に当たっている。一方、本体１４が倒れた位置では、突起１４ｃがガイド面１２ｂ２の第１端１２ｂ２−１に当たっている。本発明者が種々の実験を行った結果、起立位置では、本体１４の右側縁と垂直線ｖとのなす角度を３０°、倒れた位置では、本体１４の左側縁と垂直線ｖとのなす角度を１０５°とした場合が、アームレストを最も快適に使用することができることを見い出した。
【００１５】
好ましくは、本体１４の載置部には、遊戯者が腕を載せたときにクッションとなるように、緩衝体１４ａが配置されている。緩衝体１４ａは、硬質ゴムなどの弾性材料で形成されている。なお、本体１４が起立位置にあるとき、緩衝体１４ａの上面がほぼ水平になるように構成することが好ましい。
【００１６】
遊戯台用アームレスト１０は更に、遊戯台の下端に設けられた前板に遊戯台用アームレスト１０を取り付けるための取付具１８を備えている。取付具１８は、ほぼ矩形の板で形成された水平部１８ａと、水平部１８ａの一端において垂直方向上方に延びるように連結された垂直部１８ｂとを有し、全体としてＬ形の形状に形作られている。水平部１８ａの下面には、台座１２の水平部１２ａを差し込むためのポケット１８ｃが設けられており、水平部１８ａの周囲には、取付具１８の遊戯台の下端部の前板に取り付ける際にネジを通すための複数のネジ孔１８ａ１が設けられている。
【００１７】
取付具１８の水平部１８ａのほぼ中央には、板バネ１８ｄが設けられており、取付具１８のポケット１８ｃに台座１２の水平部１２ａを差し込むと、水平部１２ａの中央の矩形穴１２ｃに板バネ１８ｄが嵌まり込むことによって、台座１２を取付具１８にスナップ嵌めすることができるようになっている。
【００１８】
遊戯台用アームレスト１０は通常、遊戯機の下端部に設けられた前板に設置される。すなわち、前板の下面に取付具１８の水平部１８ａの上面を当て、水平部１８ａをネジで前板に固定する（図５（ｃ）参照）。しかる後、取付具１８のポケット１８ｃに台座１２の水平部１２ａをスナップ嵌めすることによって、遊戯台用アームレスト１０を設置する。
【００１９】
遊戯台用アームレスト１０の使用に際しては、図４に示されるように、本体１４が起立位置に位置するように回転させればよい。遊戯台用アームレスト１０を使用しない場合には、本体１４を回転させて倒しておけばよい（倒した状態では、本体１４の左側縁が前板の上面より下方に位置することとなるので、清掃などの際に邪魔になることがない）。
【００２０】
図６は、遊戯台に本発明のアームレスト１０が設置されている状態を示した斜視図である。図６において、アームレスト１０1 、１０2 、１０4 は起立位置にあり、アームレスト１０3 は倒れた位置にある。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
たとえば、前記実施の形態においては、アームレスト１０が専ら遊戯者の腕を置くための器具として説明されているが、アームレスト１０をバッグ掛けとして使用してもよい。
【図面の簡単な説明】
【００２３】
【図１】本発明の好ましい実施の形態に係る遊戯台用アームレストを示した斜視図である。
【図２】図１の遊戯台用アームレストの分解斜視図である。
【図３】図１の遊戯台用アームレストの台座の垂直部を示した拡大正面図である。
【図４】図１の遊戯台用アームレストの本体が回転する状態を示した図である。
【図５】図５（ａ）は、図１の遊戯台用アームレストの台座と取付具を示した分解斜視図、図５（ｂ）は、図１の遊戯台用アームレストの取付具の断面図、図５（ｃ）は、取付具が前板に固定されている状態を示した断面図である。
【図６】図１の遊戯台用アームレストが設置されている遊戯場の例を示した図である。
【符号の説明】
【００２４】
１０  遊戯台用アームレスト
１２  台座
１２ａ  水平部
１２ｂ  垂直部
１２ｂ１  開口
１２ｂ２  ガイド面
１２ｃ  矩形穴
１４  本体
１４ａ  緩衝体
１４ｂ  開口
１４ｃ  突起
１６  ピン
１８  取付具
１８ａ  水平部
１８ｂ  垂直部
１８ｃ  ポケット
１８ｄ  板バネ
【要約】
【課題】  長時間にわたって遊戯しても手首や肩、腕等に負担がかかりにくく、使用しないときには邪魔にならないように収納することができる遊戯台用アームレストを提供することである。
【解決手段】  水平部および垂直部を有する台座と、腕を載せるための載置部が上端に設けられ、下端において垂直部に回転可能に取り付けられた本体とを備え、垂直部に、本体の裏面に設けられた突起を案内するためのガイド面が設けられており、ガイド面が、遊戯者の側から見て、垂直線に対して右側に鈍角の箇所に位置する第１端と左側に鋭角の箇所に位置する第２端との間に設けられた弧状の面によって形作られており、使用時には突起が第２端に当たる位置まで本体を回転させ、不使用時には突起が第１端に当たる位置まで本体を回転させるように構成されていることを特徴とする。
【選択図】  図１【図１】
0004183274.tif 000002
【図２】
0004183274.tif 000003
【図３】
0004183274.tif 000004
【図４】
0004183274.tif 000005
【図５】
0004183274.tif 000006
【図６】
0004183274.tif 000007